(57)【要約】      （修正有）【課題】汚染物質を安全に焼却処理する方法を提供する。【解決手段】汚染物質をプラズマごみ焼却炉で処理し、燃焼排気はブラウンガスで除染する。焼却してできたセラミックは金属源として利用できる。【選択図】図１
2016203249.tif 000002
【特許請求の範囲】
【請求項１】
システム及び設計図書全般
【請求項２】
ブラウンガスによる適切な大きさに切断する切断装置。
【請求項３】
ブラウンガスによる汚染空気の除染。
【請求項４】
活性水素水による汚染物質の軽減
【請求項５】
都市鉱山を併設して汚染物質のごみと同時に処理するシステム。
【発明の詳細な説明】
【技術分野】
【０００１】本発明は、ブラウンガス及びアーク・プラズマを用いて都市鉱山と汚染物質のごみを組み合わせ、除染しながら金・銀・インジウム・錫・タンタル・ニッケル・アンチモン・セレンなどの２０種類を超える金属の回収を行う。ただし、金属の回収はセラミック（土石と金属が入り込んでいる）状態で、金属の分別はしていない。  必要に応じて、他所で蒸留分別する。
【背景技術】
【０００２】昨今の技術の発達で産業革命的発想である、都市鉱山と汚染物質のごみを同時に処理することができるようになった。  もちろん、金属の分別まではこの場所では行わないが、分別できる状態にして出荷する。  どうするかと言えば、アーク・プラズマごみ焼却炉で都市鉱山及び汚染物質のごみを高熱で燃焼して、除染しながら金属の入ったセラミックを作り、集積しておく。  その後、必要に応じてそのセラミックを必要な業者に売り利益を上げて、福島の復興に寄与する。
このように、昨今の技術では夢のような施設が可能になった。  ただ、政治家がやる気があるかないかの違いだけである。  技術の問題ではなく精神的な問題である。  今の技術ではもうすでに簡単な話である。
燃焼温度がほとんどの金属の溶融温度より高いので最終的にはほとんどの金属をプラズマ化できるのである。  プラズマ化とは陽子、電子、中性子などの素粒子になる。  それよりまだ小さい粒子があるかもしれないが、我々では分からない。  しかし、現在の科学では陽子、電子、中性子で十分通じる、反陽子・反電子は理解できていたが反中性子が理解できていなかった。  これが実はジプトロンと言われていたＨ＋とＨ−に別れたり、引っ付いたりして２Ｈになったりする作用のあるものかも知れない。  悪までも想像するだけである。  間違いかもしれないが、この中性子がどうも核変換に関係しているような気がする。
そう言うことで都市鉱山と汚染物質のごみを同時に処理して、何とか金属のセラミックを作ることができる。
【先行技術文献】
【特許文献】
【０００３】放射能の除染はいろいろあるが、放射能を無害にする方法は現在確立されていない。  同時に、都市鉱山と一緒に処理なんて誰も考えていなかった。
【発明の概要】
【発明が解決しようとする課題】
【０００４】除染物質は土壌やごみや汚染された衣服に汚染されたあらゆる物をまとめて除染したものを除染物質と言っていると考えられる。
これをいちいち分類して土、繊維、ビン、缶などに分けることはできない。  これをやろうとすると気が狂う。  そうすると、考えられることは１つしかない。  まとめて除染するには、高温で物質を昇華や溶融時点まで燃焼してプラズマの状態で電子や陽子を移動させれば不安定な物質がひょっとして安定した物質になるのではないかと考える。
例えば、放射性物質セシウム５５Ｃｓ１３７が５６Ｃｓ１３７になれば、もうこれは放射性物質ではなくバリウムです。  トリチウムの場合も同じで重水素と一緒にブラウンガスで燃焼すると最終的に無害化できる。  エネルギーが発生するがそれをうまく処理すれば発電も可能である。  次に問題なのは高レベル放射能ストロンチウム９０Ｓｒなどであるが、これは結論を先に言うと水中や化合物中のイオン（Ｓｒ２＋）として存在する。
と言うことで、発明が解決しようとする課題は、福島県に集積された汚染物質のごみと、さらに今度は都市鉱山であるＰ．Ｃや携帯電話や電化製品等を同時に処理して副産物（セラミック）や発電までもやろうとするのである。
【課題を解決するための手段】
【０００５】“発明が解決しょうとする課題”に書いたように、ストロンチウムなどが水中や化合物中のイオンとして存在するのでこれが一番ネックになる。
これを対象に処理しなければ除染の意味がない。
したがって、集積されて来た除染物質すべてを溶融、昇華して（昇華しないものは別として、これはこれで集積してそれこそどこかに埋める。）
貴重な物質は安定した状態にして集積して再利用する。さらに今度は都市鉱山をも集めて同時に処理する。  土質類はセラミックとして集積するがこれに都市鉱山の金属も含まれる。  処理途中では発電をして売電する。
このようにすれば、良いとこずくめである。  うまいこと行くかは分からないので、最初にパイロットプラントで確かめてから、大丈夫と判断できれば本格的に実施すれば良い。
パイロットプラントをどのようにするか、そして確実に不安定物質を安定物質になったことを証明できるかである。
それには、トリチウム３Ｔを重水素２Ｄと混合してブラウンガスで燃焼して蒸発、昇華を繰り返して確認する方法をとる。  これだと、ストロンチウムのイオンも除染できると考えられる。
パイロットプラントは約１０，０００ｍ２の土地に下記に記載の施設を建設して実験を行う。  最初からうまくいかないかもしれないが、改造、改善しながら目的達成していく。  これがうまくいくと、このパイロットプラントを増やせば処理能力が大きくなるので十分集積された量の汚染物質を３０年以内に処理できる。  問題はブラウンガスの製造能力である。  これは、各メーカー（（株）ジパングのゼットガスなどに確認が必要。）と相談しなければならない。  なぜなら、このガスが主役である。  これがなければお手上げである。
まずは、汚染搬入物質の大きさを統一する必要がある。  鋼材や骨材や石材の大きさをブラウンガスの切断機で５〜８ｃｍ角位に切り落とす。
（新たにブラウンガス利用の切断装置を開発する。）ここまでは前処理とする。  なぜブラウンガスかと言うとマルチアークと同様に超高温を出せるので、このガスを利用する。
それでは、下記に各施設を記載して順番に説明していく。
（イ）一番先に、やはり汚染物質集積場（１）を約５００ｍ２の土地に半径６ｍの円筒で高さ３０ｍ位のサイロ（コンクリート製でも良い、鋼板性もある。）９基を設け、バケットコンベアー等（２）で汚染物質を搬入する。  その後、活性水素水あるいは（水素水＋トルマリン水）を散布する。
（ロ）その汚染物質集積場の隣に都市鉱山の置場を設置してコンベアーを設置しておき、ここから、アーク・プラズマごみ焼却炉へ送る。
（ハ）汚染物質集積場のサイロ（１）の下部のゲートからコンベアーでアーク・プラズマごみ焼却炉（３）に送る。  ここは、ブラウンガス利用の焼却炉でも良いが実績のあるアーク・プラズマごみ焼却炉を利用する。
（ニ）アーク・プラズマごみ焼却炉では最終的には無公害の硬いセラミックができる。  また、排熱が出るので発電施設も設置する。
（ホ）問題は大気の汚染をどうするかである。そこで、約１０，０００ｍ２の土地を各施設ごとに区切り、区画ごとの空気をブラウンガスで除染する。クリーンルーム室を設け、自動で放射能が規定値以下になったら大気に放出するようにシステムを組む。  この時に使用する放射能除染装置（新規に開発する、私が既に発明学会に提案している。）を開発する。
（ヘ）廃炉ではないのでここまでであるが、廃炉の場合は高濃度汚染物質（燃料棒や炉心などの汚染された金属類）の処理が加算される。
したがって、今回は蒸留塔などの昇華設備はない。
【発明の効果】
【０００６】（イ）集積場の汚染土の除染・汚染物質のごみ等の除染。
（ロ）集積場付近の大気の汚染を除去する。
（ハ）セラミックができるので、海の漁礁作りができる。  現在の多くの海中工事はコンクリートを使用しているが、これはあまり良くない。魚に好かれる遠赤外線等の出るセラミックが良い。
（ニ）廃炉ではないのでここまでである。  廃炉の場合はひょっとして貴重なレアアースとか希少金属が取り出せるかも知れない。
（ホ）都市鉱山の金属をセラミック（土石類のセラミック内に含まれる）として取り出す。  金属を取り出す時は他所で取り出す。
【図面の簡単な説明】
【０００７】
【図１】本発明のシステム図である。
【発明を実施するための形態】
【０００８】ブラウンガスでセシウム５５Ｃｓ１３７をバリウム５６Ｃｓ１３７に変換する過程を記してから構造を書く。
プラズマ・ごみ焼却炉
２Ｈ２Ｏを電気分解（エネルギーα）→２Ｈ２＋Ｏ２
→２（ＨｅＨ）２＋Ｏ２→（燃焼）２Ｈ２Ｏ＋（放出エネルギーβ）＋Ｈｅ
→２（ＨｅＨ）２Ｏ→２（Ｈｅ＋電子ｅ−＋Ｈ＋）２Ｏ
→２Ｈｅ２＋２ｅ２−＋２Ｈ２＋＋Ｏ２→セシウム５５Ｃｓ１３７→
２Ｈ２Ｏ＋２Ｈｅ２＋セシウム５６Ｃｓ１３７＋（放出エネルギーβ）
ブラウンガスで大気中のトリチウムを除去
３Ｔ（トリチウム）＋２Ｄ（重水素）＋ブラウンガス２Ｈ２＋Ｏ２
→２Ｈ２Ｏ＋４Ｈｅ＋陽子ｎ
→２Ｈ２Ｏ＋２Ｈ２＋陽子ｎ＋エネルギー
したがって、トリチウムが除去されている。
【構造】
【０００９】プラズマ・ごみ焼却内でセシウムがバリウムに変換している。
室内の大気中のトリチウムがブラウンガスの燃焼で除去されている。
【本発明を使用するときは以下の手順で行う】
【００１０】まず最初に行うことは、作業の効率を考え処理材を扱い安くする大きさにカットすることである。  この場合は燃焼の温度を非常に高くできるので、ほとんどの物は溶融または昇華してしまうので、材料の分別は必要ない。  ブラウンガスは大変高温になるので、金属などの切断に適している。  また石類でも切断できる。
これらの汚染物質の中にはセシウムだけではなく、ウラン、ジルコニウム、モリブデンなどの原子を均一に含む合金、ガス状の球体があることも分かっているので、非常に注意が必要である。
この作業は自動化しないといけないのでロボットの研究も必要になる。
パイロットプラントの処理手順を記載すると次のようになる。
（イ）  汚染物質集積場（１）に汚染ごみを仮置きする。その隣に都市鉱山のＰ．Ｃや携帯電話や電化製品等を集積して細かく粉砕する。
（ロ）  コンベアー（２）で処理材カット場（３）に送る。（自動処理）
（ハ）  処理材カット場（３）からバケットコンベアー（４）で汚染物をサイロに入れる。  サイロ（５）は９基あるがローテーションができるようにコンベアーを組み合わせておく。
（ニ）  汚染物がサイロ（５）に入れられると、すぐに活性水素水（私が現在特許出願中）（７）を注入する。
（ホ）  一ケ所のサイロの下部からコンベアーでアーク・プラズマごみ焼却炉（６）に送られる。  （自動処理）
（ヘ）  残りのサイロに入っている汚染物質に活性水素水（７）を散布しておく。
（ト）  アーク・プラズマごみ焼却炉（６）では、セラミック製造と排熱利用で発電する。電気は売電して地域の発展に寄与する。
（チ）  各施設は建屋で囲い、クリーンルームと一般ルームに分ける。
（リ）  中央監視室を一棟独立して設け、ここですべてのコントロールを行う。ここはクリーンルームとする。  また、各施設でもクリーンルームと一般ルームに分けておく。その施設のための作業はこのクリーンルームで行う。
（ヌ）  セラミック保管場所からコンベアー（７）で輸送車にのせる。
（ル）  このパイロットプラントが評価されたなら、あとは期限に間に合うようにプラントを増やせばよいことになる。
【符号の説明】
【００１１】  １．都市鉱山
２．汚染物質集積場
３．コンベアー
４．処理材カット場
５．バケットコンベアー
６．サイロ
７．プラズマごみ焼却炉
８．活性水素水
９．セラミック集積場
１０．除染燃焼器
１１．循環送風機
１２．吸気機
１３．．排風機
【図１】
2016203249.tif 000003